【手続補正書】
【提出日】平成29年6月28日(2017.6.28)
【手続補正１】
【補正対象書類名】特許請求の範囲
【補正対象項目名】全文
【補正方法】変更
【補正の内容】
【特許請求の範囲】
【請求項１】
演出を出力可能に構成された主玩具体と、
前記主玩具体に対して情報を送信可能に構成された副玩具体と、
を備え、
前記副玩具体は、識別情報を保持する物品から当該識別情報を取得する識別情報取得部と、前記主玩具体に出力する操作情報を記憶した副玩具体記憶部と、副玩具体制御部と、を有し、前記識別情報が前記識別情報取得部によって取得された場合に、前記副玩具体制御部は、前記副玩具体記憶部に記憶された第１操作情報を前記主玩具体に出力し、
前記主玩具体は、演出情報を記憶した主玩具体記憶部と、主玩具体制御部と、を有し、前記第１操作情報が入力された場合に、前記主玩具体制御部は、該第１操作情報に関連付けて前記主玩具体記憶部に記憶された第１演出情報に基づく演出を出力する演出出力玩具。
【請求項２】
請求項１記載の演出出力玩具であって、
前記副玩具体記憶部は、前記識別情報毎に設けられた第２操作情報を前記識別情報に関連付けて記憶しており、
前記副玩具体は、識別情報を取得された物品になされる所定操作を検出する第１検出部をさらに有し、前記所定操作が前記第１検出部によって検出された場合に、前記副玩具体制御部は、前記識別情報取得部によって取得された前記識別情報に対応する前記第２操作情報を前記主玩具体に出力し、
前記主玩具体記憶部は、前記第２操作情報毎に設けられた第２演出情報を前記第２操作情報に関連付けて記憶しており、
前記主玩具体に前記第２操作情報が入力された場合に、前記主玩具体制御部は、該第２操作情報に関連付けられた前記第２演出情報に基づく演出を出力する演出出力玩具。
【請求項３】
請求項２記載の演出出力玩具であって、
前記主玩具体記憶部は、前回入力された前記第２操作情報を記憶し、また、前記第２操作情報毎に設けられた第３演出情報を前記第２操作情報に関連付けて記憶しており、
前記主玩具体に前記第２操作情報が入力された場合に、前記主玩具体制御部は、該第２操作情報が、前記主玩具体記憶部に記憶されている前回入力された前記第２操作情報と一致するか否かを判定し、該第２操作情報が前回入力された前記第２操作情報と一致すると判定した場合には、該第２操作情報に関連付けられた前記第３演出情報に基づく演出を出力し、該第２操作情報が前回入力された前記第２操作情報と一致しないと判定した場合には、該第２操作情報に関連付けられた前記第２演出情報に基づく演出を出力する演出出力玩具。
【請求項４】
請求項２又は請求項３記載の演出出力玩具であって、
前記副玩具体は、該副玩具体になされる所定操作を検出する第２検出部をさらに有し、該副玩具体になされる所定操作が前記第２検出部によって検出された場合に、前記副玩具体制御部は、前記副玩具体記憶部に記憶された第３操作情報を前記主玩具体に出力し、
前記主玩具体記憶部は、前記第２操作情報毎に設けられた第４演出情報を前記第２操作情報に関連付けて記憶しており、
前記主玩具体に前記第３操作情報が入力された場合に、前記主玩具体制御部は、その後に入力される前記第２操作情報に対し、該第２操作情報に関連付けられた前記第４演出情報に基づく演出を出力する演出出力玩具。
【請求項５】
請求項２から４のいずれか一項記載の演出出力玩具であって、
複数種の前記副玩具体を備え、
同じ前記識別情報に対応する前記第２操作情報が前記副玩具体の種別毎に異なる演出出力玩具。
【請求項６】
請求項２から５のいずれか一項記載の演出出力玩具であって、
複数種の前記主玩具体を備え、
同じ前記第２操作情報に対応する前記第２演出情報が前記主玩具体の種別毎に異なる演出出力玩具。
【請求項７】
請求項１から６のいずれか一項記載の演出出力玩具であって、
前記主玩具体及び前記副玩具体の少なくとも一方は、使用者に装着可能、又は使用者によって把持可能である演出出力玩具。
【請求項８】
情報を送信可能に構成された副玩具体で、識別情報を保持する物品から当該識別情報を取得する識別情報取得部と、送信する操作情報を記憶した副玩具体記憶部と、副玩具体制御部と、を有し、前記識別情報が前記識別情報取得部によって取得された場合に、前記副玩具体制御部は、前記副玩具体記憶部に記憶された第１操作情報を送信する前記副玩具体とともに演出出力玩具の一部として用いられ、前記副玩具体から情報を受信可能であり、かつ、演出を出力可能に構成された主玩具体であって、  
前記主玩具体は、演出情報を記憶した主玩具体記憶部と、主玩具体制御部と、を有し、前記副玩具体から送信された前記第１操作情報を受信した場合に、前記主玩具体制御部は、該第１操作情報に関連付けて前記主玩具体記憶部に記憶された第１演出情報に基づく演出を出力する前記主玩具体。
【手続補正２】
【補正対象書類名】明細書
【補正対象項目名】発明の名称
【補正方法】変更
【補正の内容】
【発明の名称】演出出力玩具および主玩具体
【手続補正３】
【補正対象書類名】明細書
【補正対象項目名】０００６
【補正方法】変更
【補正の内容】
【０００６】
本発明に係る演出出力玩具は、演出を出力可能に構成された主玩具体と、前記主玩具体に対して情報を送信可能に構成された副玩具体と、識別情報を保持し、前記副玩具体に装着可能な物品と、を備え、前記副玩具体は、該副玩具体に装着された物品の前記識別情報を取得する識別情報取得部と、前記主玩具体に出力する操作情報を記憶した副玩具体記憶部と、を有し、前記識別情報が前記識別情報取得部によって取得された場合に、前記副玩具体記憶部に記憶された第１操作情報を前記主玩具体に出力し、前記主玩具体は、演出情報を記憶した主玩具体記憶部を有し、前記第１操作情報が入力された場合に、該第１操作情報に関連付けて前記主玩具体記憶部に記憶された第１演出情報に基づく演出を出力することを特徴としている。また、本発明に係る演出出力玩具は、演出を出力可能に構成された主玩具体と、前記主玩具体に対して情報を送信可能に構成された副玩具体と、を備え、前記副玩具体は、識別情報を保持する物品から当該識別情報を取得する識別情報取得部と、前記主玩具体に出力する操作情報を記憶した副玩具体記憶部と、副玩具体制御部と、を有し、前記識別情報が前記識別情報取得部によって取得された場合に、前記副玩具体制御部は、前記副玩具体記憶部に記憶された第１操作情報を前記主玩具体に出力し、前記主玩具体は、演出情報を記憶した主玩具体記憶部と、主玩具体制御部と、を有し、前記第１操作情報が入力された場合に、前記主玩具体制御部は、該第１操作情報に関連付けて前記主玩具体記憶部に記憶された第１演出情報に基づく演出を出力することを特徴としている。また、本発明に係る主玩具体は、情報を送信可能に構成された副玩具体で、識別情報を保持する物品から当該識別情報を取得する識別情報取得部と、送信する操作情報を記憶した副玩具体記憶部と、副玩具体制御部と、を有し、前記識別情報が前記識別情報取得部によって取得された場合に、前記副玩具体制御部は、前記副玩具体記憶部に記憶された第１操作情報を送信する前記副玩具体とともに演出出力玩具の一部として用いられ、前記副玩具体から情報を受信可能であり、かつ、演出を出力可能に構成された主玩具体であって、前記主玩具体は、演出情報を記憶した主玩具体記憶部と、主玩具体制御部と、を有し、前記副玩具体から送信された前記第１操作情報を受信した場合に、前記主玩具体制御部は、該第１操作情報に関連付けて前記主玩具体記憶部に記憶された第１演出情報に基づく演出を出力することを特徴としている。
【手続補正４】
【補正対象書類名】明細書
【補正対象項目名】０００７
【補正方法】変更
【補正の内容】
【０００７】
また、本発明に係る演出出力玩具においては、前記副玩具体記憶部は、前記識別情報毎に設けられた第２操作情報を前記識別情報に関連付けて記憶しており、前記副玩具体は、該副玩具体に装着された物品になされる所定操作を検出する第１検出部をさらに有し、前記所定操作が前記第１検出部によって検出された場合に、前記識別情報取得部によって取得された前記識別情報に対応する前記第２操作情報を前記主玩具体に出力し、前記主玩具体記憶部は、前記第２操作情報毎に設けられた第２演出情報を前記第２操作情報に関連付けて記憶しており、前記主玩具体は、前記第２操作情報が入力された場合に、該第２操作情報に関連付けられた前記第２演出情報に基づく演出を出力してもよい。また、本発明に係る演出出力玩具においては、前記副玩具体記憶部は、前記識別情報毎に設けられた第２操作情報を前記識別情報に関連付けて記憶しており、前記副玩具体は、識別情報を取得された物品になされる所定操作を検出する第１検出部をさらに有し、前記所定操作が前記第１検出部によって検出された場合に、前記副玩具体制御部は、前記識別情報取得部によって取得された前記識別情報に対応する前記第２操作情報を前記主玩具体に出力し、前記主玩具体記憶部は、前記第２操作情報毎に設けられた第２演出情報を前記第２操作情報に関連付けて記憶しており、前記主玩具体に前記第２操作情報が入力された場合に、前記主玩具体制御部は、該第２操作情報に関連付けられた前記第２演出情報に基づく演出を出力してもよい。